(57)【要約】【課題】  本発明は、携帯電話等の表示画面に貼り付ける保護フィルムが傷ついたり汚れた場合に、容易に傷や汚れを除去できるような保護フィルムの提供を目的とする。【解決手段】  積層フィルム１は、透明樹脂層１３と、前記透明樹脂層１３等を固定するための粘着層１４と、前記透明樹脂層１３及び前記粘着層１４を剥がすために前記粘着層１４が除去されている凸部３と、を含むフィルム部１１等を備え、このフィルム部１１と同じ構造のフィルム部を積層して構成する。【選択図】  図２
2005271412.tif 000002
【特許請求の範囲】
【請求項１】
情報機器の表示部に付着して保護する透明なフィルムであって、
透明樹脂層と、前記透明樹脂層を付着させるための粘着層と、前記透明樹脂層及び前記粘着層を剥がすための剥がし部と、を含むフィルム部を備え、
前記フィルム部を積層して構成することを特徴とする積層フィルム。
【請求項２】
前記剥がし部は、前記透明樹脂層と区別可能に形成されていることを特徴とする請求項１記載の積層フィルム。
【請求項３】
前記剥がし部は、前記フィルム部の外周に形成される凸部であることを特徴とする請求項２記載の積層フィルム。
【請求項４】
前記剥がし部は、前記粘着層が除去されていることを特徴とする請求項１乃至３の何れか一項に記載の積層フィルム。
【請求項５】
前記剥がし部は前記透明樹脂層と一体形成されていることを特徴とする請求項１乃至４の何れか一項に記載の積層フィルム。
【請求項６】
前記透明樹脂層の一方の面にはシリコン層が形成され、他方の面には前記粘着層が形成されていることを特徴とする請求項１乃至５の何れか一項に記載の積層フィルム。
【請求項７】
積層された前記フィルム部の少なくとも一層が、印刷面を備える印刷フィルム部であることを特徴とする請求項１乃至６の何れか一項に記載の積層フィルム。
【請求項８】
前記印刷フィルム部は、第１透明樹脂層と、前記第１透明樹脂層の一方の表面に形成されるシリコン層と、文字や模様等が印刷可能な印刷面を備える第２透明樹脂層と、前記シリコン層が形成されてない側の前記第１透明樹脂層の面に前記第２透明樹脂層を接着する接着層と、前記接着層が形成されていない側の前記第２透明樹脂層の面に形成される粘着層とを含むことを特徴とする請求項７に記載の積層フィルム。
【請求項９】
前記印刷フィルム部は、最下層に位置するフィルム部であることを特徴とする請求項７又は８に記載の積層フィルム。
【請求項１０】
最下層に位置する前記フィルム部の前記粘着層には、剥離フィルム部が付着されていることを特徴とする請求項１乃至９の何れか一項に記載の積層フィルム。
【請求項１１】
前記剥離フィルム部の一方の面にはシリコン層が形成され、前記シリコン層が形成された面が、最下層の前記フィルム部の前記粘着層に付着することを特徴とする請求項１０記載の積層フィルム。
【請求項１２】
前記剥離フィルム部は、前記フィルム部より大きい面積を備えることを特徴とする請求項１乃至１１の何れか一項に記載の積層フィルム。
【請求項１３】
積層された前記フィルム部にそれぞれカレンダーが形成されていることを特徴とする請求項１乃至１２の何れか一項に記載の積層フィルム。
【発明の詳細な説明】
【技術分野】
【０００１】
本発明は、携帯電話機等の携帯情報機器の液晶表示部を保護するフィルムに関し、より詳細には、その液晶表示部に貼り付けて傷や汚れから保護する積層フィルムに関するものである。
【背景技術】
【０００２】
現在、携帯電話機は多数の人々により携帯して使用されており、その通話使用時には、携帯電話機の液晶表示部が使用者の顔に接触し、特に女性が使う場合には、ファンデーション等が液晶表示部に付着して汚れ、その表示内容が見難くなることが頻繁に生じていた。また、化粧をしない男性が使用する場合でも、液晶表示部に皮脂や埃等が付着して表示内容が見難くなることが生じていた。そこで、液晶表示部の汚れを拭き取るような、超極細繊維布を用いたものも提案されているが、拭き取りに時間がかかったり拭き取り時に傷が生じるおそれや、超極細繊維布自体が汚れた場合には、汚れを除去できないおそれもあった。
【０００３】
一方、携帯電話機の液晶表示部の傷や汚れを防止するために、当該液晶表示部に、透明な部材を貼り付けるものが、例えば、特許文献１、２に提案されていた。
特許文献１には、携帯電話器のディスプレイ表示板を保護し、すり傷等をなくために、携帯電話機のディスプレイ表示板に後付けされる透明材料からなる保護板と、その保護板の裏面外周端縁に塗布される接着剤とを備えるものが開示されている。
【０００４】
特許文献２には、携帯電話機の情報表示部に張り付けられる透明な樹脂材料からなる基板部と、この基板部の裏面に設けた接着部とを備える保護板であって、使用者が保護板を前記情報表示部に接着するものが開示されている。さらに、前記基板部は厚さが０．５ｍｍ以上でかつ３．０ｍｍ以下に設定された変形かつ復元が可能なエラストマーより構成され、同基板部の表面の外周端縁に丸みのある面取り部が形成されたものである。
【特許文献１】登録実用新案第３０２５３８９号
【特許文献２】特許第２８８３０６１号
【発明の開示】
【発明が解決しようとする課題】
【０００５】
特許文献１及び２に記載されたものは、確かに携帯電話機の液晶表示部を保護板により傷や汚れから保護することができるが、保護板が傷ついた場合にはその保護板を張り替えたり、保護板が汚れた場合には、定期的に上述のような超極細繊維布でその保護板の汚れを拭き取る必要があり、使用者にとって非常に煩わしいこととなっていた。
【０００６】
本発明は、携帯電話等の表示画面に貼り付ける保護フィルムが傷ついたり汚れた場合に、保護フィルムの張り替えや汚れの拭き取りを行うことなく、容易に傷や汚れを除去できるような保護フィルムを提供することを目的とする。
【課題を解決するための手段】
【０００７】
本発明の積層フィルムは、上記課題を解決するものであって、請求項１記載の発明によれば、情報機器５の表示部７に付着して保護する透明なフィルムであって、透明樹脂層１３等と、前記透明樹脂層１３等を固定するための粘着層１４等と、前記透明樹脂層１３等及び前記粘着層１４等を剥がすための剥がし部３と、を含むフィルム部１１等を備え、前記フィルム部１１等を積層して構成することを特徴とする。
【０００８】
請求項２記載の発明によれば、前記剥がし部３は、前記透明樹脂層１３等と区別可能に形成されていることを特徴とする。また、請求項３記載の発明によれば、前記剥がし部３は、前記フィルム部１等の外周に形成される凸部３であることを特徴とする。請求項４記載の発明によれば、前記剥がし部３は、前記粘着層１４等が除去されていることを特徴とする。請求項５記載の発明によれば、前記剥がし部は前記透明樹脂層と一体形成されていることを特徴とする。請求項６記載の発明によれば、前記透明樹脂層１２等の一方の面にはシリコン層１１等が形成され、他方の面には前記粘着層１３等が形成されていることを特徴とする。
【０００９】
請求項７記載の発明によれば、積層された前記フィルム部１１等の少なくとも一層が、印刷面を備える印刷フィルム部７１であることを特徴とする。請求項８記載の発明によれば、前記印刷フィルム部７１は、第１透明樹脂層７３と、前記第１透明樹脂層７３の一方の表面に形成されるシリコン７２と、文字や模様等が印刷可能な印刷面を備える第２透明樹脂層７５と、前記シリコン層７２が形成されてない側の前記第１透明樹脂層７３の面に前記第２透明樹脂層７５を接着する接着層７４と、前記接着層７４が形成されていない側の前記第２透明樹脂層７５の面に形成される粘着層７６とを含むことを特徴とする。請求項９記載の発明によれば、前記印刷フィルム部７１は、最下層に位置するフィルム部であることを特徴とする。
【００１０】
請求項１０記載の発明によれば、最下層に位置する前記フィルム部７１の前記粘着層７６には、剥離フィルム部８１が付着されていることを特徴とする。請求項１１記載の発明によれば、前記剥離フィルム部８１の一方の面にはシリコン層８２が形成され、前記シリコン層８２が形成された面が、最下層の前記フィルム部７１の前記粘着層７６に付着することを特徴とする。請求項１２記載の発明によれば、前記剥離フィルム部８１は、前記フィルム部１１等より大きい面積を備えることを特徴とする。
【００１１】
請求項１３記載の発明によれば、積層された前記フィルム部１１等にそれぞれカレンダーが形成されていることを特徴とする。
【発明の効果】
【００１２】
本発明の積層フィルムによれば、フィルム表面が汚れた場合やフィルム表面に傷がついた場合には、剥がし部から最上層のフィルム部を指で摘んだり爪で剥がしたりして剥がすことにより、汚れがない下層側のフィルム部が外界に露出するため、フィルム表面の汚れを除去したり、フィルム全体を剥がして、取り替える必要がなくなる。
【００１３】
また、シリコン層を設けたことにより、上層のフィルム部を剥がす際に、上層のフィルム部の粘着層が下層のフィルム部の表面に残留することを効果的に防止できる。
さらに、印刷フィルム部に印刷等によって文字や図形等を印刷することができる。また、フィルム間の引き剥がし特性を低下させずに、広告宣伝に用いることが可能となる。
【００１４】
また、カレンダーが形成されたフィルム部を順に剥がすことにより、次々に新しいフィルム部が露出することとなり、常に傷や汚れが無い状態で積層フィルムの表面を提供できる。
【発明を実施するための最良の形態】
【００１５】
本発明の積層フィルムは、携帯電話機等の携帯情報機器の液晶表示部を汚れや傷から保護するための多層のフィルムである。以下、本発明の実施の形態を、図１乃至図３を参照して説明する。
【００１６】
図１は、本発明の積層フィルム１の平面図である。積層フィルム１は、ほぼ矩形状であり、後述の第１フィルム部乃至第７フィルム部を粘着層を介して積層している。また、多層フィルムを構成する第１フィルム部乃至第７フィルム部は、図１の平面視で全て同一形状である。図１にハッチングで示すように、積層フィルム１の右側上部には、その右外側方向に突出する凸部（剥がし部）３が形成されている。凸部３の領域では、積層フィルム１は積層された各フィルム部間の粘着層が除去されている。従って、凸部３から最上層のフイルム部を指でめくったり爪で剥がしたりして、容易に剥がし取ることができる。
【００１７】
また、積層フィルム１の形状は、標準的な携帯電話機の液晶表示面を覆うに十分な大きさとする必要があり、本実施の形態では、縦５０ｍｍ×横４０ｍｍの長方形状としている。また、積層フィルム１の右端部から右外側方向への凸部３の突出長は４ｍｍであり、積層フィルム１右端部からの右外側方向への凸部３の突出幅は６ｍｍである。なお、凸部３の大きさも指や爪でめくることが可能な程度であればよく、例えば、突出長は３ｍｍから５ｍｍの範囲で、突出幅は３ｍｍから１０ｍｍの範囲で任意に変更可能である。また、凸部３の位置や大きさは、上記のものに限定されず、積層フィルム１の外周縁の任意の部分から外側に突出するように形成することができる。さらに、上述のように剥がし部を凸部として構成せずに、積層フィルム１のコーナー部の粘着層の一部を除去して剥がし部とすることもできる。
【００１８】
図２は、図１のＡ−Ａ線における断面図である。本実施の形態の積層フィルム１は、最上層の第１フィルム部１１から最下層の第７フィルム部７１までの上下に積層される７層のフィルム部と、第７フィルム部７１の下面に付着される剥離フィルム部８１とから構成されている。なお、本実施の形態では、積層フィルム１は、７層に積層されたものを説明するが、７層に限定されず２層以上で有れば任意の複数の層とすることができる。
【００１９】
第１フィルム部１１は、図２の上から順に、シリコン層１２と、シリコン層１２が一体化された透明樹脂層１３と、透明樹脂層１３の下面に形成された粘着層１４とから構成されている。第２フィルム部２１、第３フィルム部３１、第４フィルム部４１、第５フィルム部５１、第６フィルム部６１の各フィルム部も、第１フィルム部１１と同様に、シリコン層２２，３２，４２，５２，６２と、透明樹脂層２３，３３，４３，５３，６３と、粘着層２４，３４，４４，５４，６４とから構成されている。
【００２０】
透明樹脂層１３等は、透明樹脂であるポリエチレンテレフタレート製の薄膜から構成され、シリコン層１２等は透明なシリコン樹脂から構成され、シリコン層１２等は透明樹脂層１３等の上面全面に一体的に形成されている。粘着層１４等は、透明樹脂層１３等の下面全面に形成され、各フィルム部が積層された状態で、上層のフィルム部の粘着層を下層のフィルム部のシリコン層に貼り付けてその表面に固定する機能を有する。また、シリコン層１２等は、上層のフィルム部を下層のフィルム部から引き剥がす際に、上層のフィルム部の粘着層がその上層のフィルム部から離脱し下層のフィルム部表面に残存することを防止すると共に、透明樹脂層を摩擦や汚れから保護するものである。
【００２１】
最下層の第７フィルム部（印刷フィルム部）７１は、図２の上から順に、シリコン層７２と、上透明樹脂層７３と、接着層７４と、下透明樹脂層７５と、粘着層７６とから構成されている。シリコン層７２の上面には、シリコン樹脂の特性により文字や模様を印刷するための色素を付着できない。そこで、上透明樹脂層７３の下に、シリコン層を有さない下透明樹脂層７５を設け、予め下透明樹脂層７５の表面に文字や模様を印刷しておき、上透明樹脂層７３のシリコン層７２が形成されていない下面と、下透明樹脂層７５の文字等が印刷された上面とを、透明な接着剤層７４により接着して一体化する。
【００２２】
剥離フィルム部８１は、上から順に、シリコン層８２と、透明樹脂層８３とから構成されている。剥離フィルム部８１のシリコン層８２の上面に、第７フィルム部７１の粘着層７６が位置することになる。なお、図１では剥離フィルム部８１を図示していないが、剥離フィルム部８１は、図１の積層フィルム１よりその面積を大きなものとしているため、図２に示すように、積層フィルム１の外周端面から剥離フィルム部８１が突出しており、容易に第１フィルム部１１乃至第７フィルム部７１から構成される積層体から、剥離フィルム部８１を剥がし取ることができる。
【００２３】
上述の透明樹脂層１３等を形成する透明樹脂としてはポリエチレンテレフタレート（ＰＥＴ）を用いたが、他の透明な樹脂、例えば、ポリエステル、ポリメチルメタクリレート（ＰＭＭＡ）等のアクリル系樹脂、トリアセチルセルロース、ポリサルフォン、ポリアリレート、ポリカーボネートの何れかを使用することができる。
【００２４】
上述の粘着層１４等を形成する粘着剤としては、リンテック株式会社製のエマルション型粘着剤ＰＬシンを用いたが、表示装置の視認性を低下させない程度の透明性を有するものであれば良く、例えば、アクリル系粘着剤、シリコーン系粘着剤、ポリエステル系粘着剤、ゴム系粘着剤、ポリウレタン系粘着剤などの粘着剤の何れかを使用することができる。また、これらの粘着剤は単独で又は２種以上組み合わせて使用することができる。
【００２５】
なお、粘着層７６等を形成する粘着剤としては、リンテック株式会社製の再剥離型の粘着剤Ｍ−４を用いたが、上述の粘着剤を用いることも可能である。
また、上述の接着剤層７４に用いる接着剤としては、フェノール樹脂系接着剤、レゾルシノール樹脂系接着剤、フェノール−レゾルシノール樹脂系接着剤、エポキシ樹脂系接着剤、ユリア樹脂系接着剤、ポリウレタン系接着剤、ポリアロマチック系接着剤等の熱硬化性樹脂接着剤や、酢酸ビニル樹脂、アクリル樹脂、エチレン酢酸ビニル樹脂、ポリビニルアルコール、ポリビニルアセタール、塩化ビニル、ナイロン、シアノアクリレート樹脂等の熱可塑性樹脂系接着剤や、クロロプレン系接着剤、ニトリルゴム系接着剤、スチレンブタジエンゴム系接着剤、天然ゴム系接着剤等のゴム系接着剤等を使用することができる。
【００２６】
図３に、本発明の積層フィルム１を携帯電話機５の液晶表示部７に貼り付けた状態を示す。積層フィルム１を携帯電話機５に貼り付ける場合には、先ず剥離フィルム部８１を剥がして、第７フィルム部７１の粘着層７６を露出させた状態で、この粘着層７６を携帯電話機５の液晶表面部７に貼り付けることにより、積層フィルム１が携帯電話機５に固定される。
【００２７】
従って、積層フィルム１を最初に携帯電話機の表示面に貼り付けた状態では、最上層の第１フィルム部１１のシリコン層１２が外界に露出する面となり、最下層の第７フィルム部７１の粘着層７６が液晶表示部７に付着される面となる。また、この状態で凸部３は液晶表示部７に接触しておらず、表示部７の周囲に位置する携帯電話機５のケーシングの傾斜部上に位置するため、凸部３の下面は携帯電話機５のケーシングに接触しておらず、凸部３を指で摘んだり爪で剥がすことが容易となっている。
【００２８】
本発明では、上述のシリコン層と透明樹脂層と粘着層とから構成される一層のフィルム部の膜厚を、例えば１６μｍ以上５０μｍ以下という極薄いものとすることができる。このような薄さのフィルム部を１枚ごとに携帯電話機の表示面に貼り付けることは、通常はフィルム部が薄ければ薄いほど撓みやすくなり、貼り付け時に歪みを生じて必ず張りむらが形成されるため、完全に平坦な状態でフィルム部を貼り付けることができない。
【００２９】
これに対して、本発明の積層フィルム１では、一枚一枚のフィルム部は非常に薄いが、上述のように積層されて７層となっているため、積層フィルム１として一体化された状態では、１枚のみの場合に比べて、全体として撓みにくくなり、携帯電話機の表示部への貼り付け時にフィルム部が歪んで、表示部とフィルム部との間に気泡が生じることを効果的に抑制することができる。
【００３０】
また、積層フィルム１を構成する各フィルム部にそれぞれカレンダーを形成してもよい。この場合には、上層のフィルム部に形成されたカレンダーの月に対して、下層のフィルム部に形成されたカレンダーの月には、上層のカレンダーの次の月が位置するように順に前記フィルム部を積層する必要がある。なお、カレンダーを形成する場合には、全てのフィルム部を印刷フィルム部７１と同様の構造とするか、又は、シリコン層を透明樹脂層から除去して、その除去した部分にカレンダーを印刷することもできる。また、フィルム部の同じ位置にカレンダーを形成して積層する場合には、下層のカレンダーが上層のカレンダーから見えないようにするためにそれぞれのカレンダーを白地の上に印刷する必要がある。また、カレンダーに限らず、任意の模様を形成してもよい。
【００３１】
なお、本実施の形態では、積層フィルム１を携帯電話機５に付着した場合を示したが、携帯電話機に限定されず、携帯情報端末（ＰＤＡ）や、サブノートパソコン、タブレットＰＣ（ペン入力式携帯コンピュータ）の液晶表示部の保護に用いることもできる。これらに適用する場合には、適宜、積層フィルム１の大きさや凸部３の位置及び大きさ等を変更して用いることができる。
【００３２】
また、図４の変形例に示すように、積層フィルム１’は、その各フィルム部に形成される凸部を積層方向で重ならないように、インデックス状に配置してもよい。この変形例において、最上層のフィルム部１１の凸部３の位置は、図１の実施形態のものと同じだが、その下層に位置するフィルム部２１の凸部３ａは凸部３と重ならないように、図４において下方にずれて配置されている。フィルム部３１の凸部３ｂ、フィルム部４１の凸部３ｃ、フィルム部５１の凸部３ｄ、フィルム部６１の凸部３ｅ、フィルム部７１の凸部３ｆも同様に、それぞれ他の凸部に重ならないよう配置されている。このように凸部を配置することにより、フィルム部を剥がす際に、同時に２枚剥がすことなく、上から一枚ずつ順番に剥がすことができる。
【００３３】
なお、最下層のフィルム部７１の中央部に、ホログラムによる模様や文字を形成しておくこともできる。この場合には、ホログラムを有する積層フィルムを、携帯電話機の表示部に貼り付けると、そのホログラムは携帯電話機の表示部の中央部に重なることとなる。しかし、このホログラムは、表示部を垂直方向から見た場合にはホログラムによって光が反射されず、表示部に対して所定の斜め方向から見た場合には、反射回折光によりホログラムで反射された模様等を可視可能とすれば、ホログラムが邪魔にならない。
【図面の簡単な説明】
【００３４】
【図１】本発明の積層フィルムの正面図である。
【図２】図１の積層フィルムのＡ−Ａ断面図である。
【図３】本発明の積層フィルムを携帯電話の表示面に貼り付けた状態を示す斜視図である。
【図４】本発明の積層フィルムの変形例の正面図である。
【符号の説明】
【００３５】
１，１’  積層フィルム
３  凸部
３ａ，３ｂ，３ｃ，３ｄ，３ｅ，３ｆ  凸部
５  携帯電話機
７  表示面
１１  第１フィルム部
２１  第２フィルム部
３１  第３フィルム部
４１  第４フィルム部
５１  第５フィルム部
６１  第６フィルム部
７１  第７フィルム部
８１  剥離フィルム部
７３  上透明樹脂層
７５  下透明樹脂層
１２,２２,３２,４２,５２,６２,７２,８２   シリコン層
１３,２３,３３,４３,５３,６３,８３  透明樹脂層
１４,２４,３４,４４,５４,６４,７４  粘着層
【図１】
2005271412.tif 000003
【図２】
2005271412.tif 000004
【図３】
2005271412.tif 000005
【図４】
2005271412.tif 000006